(57)【要約】【課題】  点弧と閉込めとの双方に対するランプのアークチューブの周囲に取り付けられるメタル・コイルを用いる、約150Wから約1000Wの電力範囲のセラミック・メタル・ハライド・タイプのHIDランプであって、延長された期間にわたって高温環境にさらされた後に、起動支持として、および、閉込め支持として、コイル状アンテナの効果が維持されるHIDランプを提供すること。【解決手段】  本発明は、放電容器および／または電極貫通接続手段の少なくとも一部の周囲に巻き付けられていて、電力範囲が約150Wから約1000Wである、メタル・コイルを有するフィリップス・マスターカラー・シリーズのセラミック・メタル・ハライド・タイプの高圧放電ランプに関する。ここでは、ランプは、放電容器および／または第1の端部およびメタル・コイルのいずれかで電極貫通手段の少なくとも一部の周囲に巻き付けられている複数のコイル部を有し、少なくとも一つのコイル部のコイル部分、好ましくは多重コイル部、最も好ましくは、メタル・コイルのコイル部の実質的に全ては、ランプの動作中に存在する高温状況にさらされた後でも、第１の位置から実質的にゆるまないことに適している。メタル・コイルは、ランプの点弧支持と閉込めとの双方として機能する。
2005531116.tif 000002
【特許請求の範囲】
【請求項１】
放電スペースを囲むセラミック放電容器を備える放電ランプであって、当該放電容器は、当該放電スペース内に、メタル・ハライドを備えるイオン化可能な材料と、第1および第2の放電極貫通接続手段と、当該第1および第2の電極貫通接続手段に接続されている第1および第2の電流伝導体とを、それぞれ含み、
当該ランプは、前記放電容器および／または第1の位置およびメタル・コイルのいずれかの少なくとも前記電極貫通接続手段の一部の周囲に巻き付けられているコイル部を有するメタル・コイル有し、少なくとも一つのコイル部は、前記放電ランプの動作中に存在する高温条件にさらされた後に、前記第1の位置からゆるむことなく実質的に固定され、当該メタル・コイルは、当該放電ランプの点弧支持と閉込めとの双方として機能する放電ランプ。
【請求項２】
前記メタル・コイルは、第1の位置で前記放電容器の周囲に巻き付けられていて、かつ、前記放電容器および／または前記放電容器の第1の端部で前記電極貫通接続手段に取り付けられている、複数のコイル状部と、
前記放電容器および／または前記放電容器の第2の端部で前記電極貫通接続手段に取り付けられている延在端子部とを備え、
当該延在端子部は、コイル状部の長さに沿って延在していて、かつ、前記放電容器または前記放電容器の第1の端部で前記電極貫通接続手段に取り付けられていて、当該延在端子部は、高温条件にさらす状態で前記第1の位置から実質的にゆるまない前記メタル・コイルの少なくとも多重コイル部を固定するのに効果的である、請求項1に記載の放電ランプ。
【請求項３】
前記延在端子部は、高温条件にさらす状態で前記第1の位置から実質的にゆるまない前記メタル・コイルのコイル部の全てを固定するのに効果的である、請求項2に記載のランプ。
【請求項４】
前記メタル・コイルは、第1の位置で前記放電容器の周囲に巻き付けられていて、かつ、前記放電容器および／または前記放電容器の第1の端部で前記電極貫通手段に取り付けられている、複数のコイル状部と、
前記放電容器および／または前記放電容器の第2の端部で前記電極貫通接続手段に取り付けられている延在端子部とを備え、
当該延在端子部は、前記コイル部間の相互接続を形成するコイル部の長さに沿って延在していて、かつ、前記放電容器または前記放電容器の第1の端部で前記電極貫通接続手段に取り付けられていて、当該延在端子部は、高温条件にさらす状態で前記第1の位置から実質的にゆるまない前記メタル・コイルの少なくとも多重コイル部を固定するのに効果的である、請求項1に記載の放電ランプ。
【請求項５】
当該延在端子部は、高温条件にさらす状態で前記第1の位置から実質的にゆるまない前記メタル・コイルの前記コイル部分の全てを固定するのに効果的である、請求項4に記載の放電ランプ。
【請求項６】
前記放電ランプは、電力範囲が約150Wから約1000Wであるメタル・ハロゲン・ハライド放電ランプである請求項1に記載の放電ランプ。
【請求項７】
約3800Kから約4500KのCCT（相関色温度）と、約70から約95のCRI（演色評価数）と、約+10のMPCD（平均認知可能色差）と、約85〜95ルーメン／ワットまでの視感度とを含むグループから選択される一つ以上の特性を示す、請求項6に記載の放電ランプ。
【請求項８】
高圧ナトリウムまたはクォーツ・メタル・ハライド・ランプ用に設計されているバラストによって改造される、請求項7に記載の放電ランプ。
【請求項９】
電力範囲が約150Wから約1000Wであり、かつ、放電スペースを囲んでいるセラミック放電容器を備える放電ランプであって、当該放電容器は、当該放電スペースの範囲内に、メタル・ハライドを備えるイオン化可能な材料と、第1および第2の放電極貫通接続手段と、当該第1および第2の放電極貫通接続手段に接続されている第1および第2の電流伝導体とを、それぞれ、含み、
前記セラミック放電容器が、
中央軸および一対の対向端部壁を有する円筒状の円筒部バレルと、
当該中央軸に沿ってそれぞれの端壁から延在している一対のセラミック末端プラグと、
当該中心円筒部から離れて配置されているそれぞれの電極に接続されていて、それぞれの前記末端プラグを通って延在している一対のリードインとを備え、
前記電極貫通接続手段は、各々、アークチューブに密封されているニオビウムのリードインと、モリブデン／アルミニウム・サーメットの中心部と、モリブデン・ロッド部と、タングステンの巻線を有するタングステン・チップとを有していて、かつ、前記放電ランプは、アークチューブおよび／またはセラミック末端プラグの少なくとも一部に取り付けられるモリブデン・コイルを有し、当該コイルは、前記放電容器および／または第1の位置のおよびいずれかのコイルの前記電極貫通接続手段の少なくとも一部の周囲に巻き付けられているコイル部を有し、かつ、前記コイル部の少なくとも一つのコイル部は、前記放電ランプの動作中に存在する高温条件にさらされた後に、前記第1の位置から実質的にゆるむことなく固定されているアークチューブを含む放電ランプ。
【請求項１０】
前記モリブデン・コイルは、アークチューブの実質的に一部の周囲と、セラミック末端プラグの少なくとも一部の周囲とに巻き付けられている、請求項9に記載の放電ランプ。
【請求項１１】
前記モリブデン・コイルは、第1の位置で前記放電容器の周囲に巻き付けられていて、かつ、前記放電容器および／または前記放電容器の第1の端部で前記電極貫通接続手段に取り付けられている、複数のコイル状部と、
前記放電容器および／または前記放電容器の第2の端部で前記電極貫通接続手段に取り付けられている延在端子部とを備え、
前記延在端子部は、コイル状部の長さに沿って延在していて、かつ、前記放電容器または前記放電容器の第1の端部で前記電極貫通接続手段に取り付けられていて、当該延在端子部は、高温条件にさらす状態で前記第1の位置から実質的にゆるまない前記モリブデン・コイルの少なくとも多重コイル部を固定するのに効果的である、請求項9に記載の放電ランプ。
【請求項１２】
前記延在端子部は、高温条件にさらす状態で前記第1の位置から実質的にゆるまない前記モリブデン・コイルのコイル部分の少なくとも実質的に全てを固定するのに効果的である請求項11に記載のランプ。
【請求項１３】
前記モリブデン・コイルは、第1の位置で前記放電容器の周囲に巻き付けられていて、かつ、前記放電容器および／または前記放電容器の第1の端部で前記電極貫通手段に取り付けられている、複数のコイル状部と、
前記放電容器および／または前記放電容器の第2の端子で前記電極貫通接続手段に取り付けられている延在端子部とを備え、
前記延在端子部は、前記コイル状部間の相互接続を形成するコイル状部の長さに沿って延在していて、かつ、前記放電容器または前記放電容器の第1の端部で前記電極貫通接続手段に取り付けられていて、当該延在端子部は、高温条件にさらす状態で前記第1の位置から実質的にゆるまない前記モリブデン・コイルの少なくとも多重コイル部を固定するのに効果的である、請求項9に記載の放電ランプ。
【請求項１４】
当該延在端子部は、高温条件にさらす状態で前記第1の位置から実質的にゆるまない前記モリブデン・コイルの前記コイル部分の少なくとも実質的に全てを固定するのに効果的である請求項13に記載の放電ランプ。
【請求項１５】
放電容器および／または前記放電容器の第1の端部で電極貫通接続手段に取り付けられている、複数のコイル状部と、
前記放電容器および／または前記放電容器の第2の端部で前記電極貫通接続手段に取り付けられている延在端子部とを備え、
当該延在端子部は、前記コイル状部間の相互接続を形成するコイル状部の長さに沿って延在していて、かつ、前記放電容器または前記放電容器の第1の端部で前記電極貫通接続手段に取り付けられていて、
当該延在端子部は、高温条件にさらす状態で前記第1の位置から実質的にゆるまない前記メタル・コイルの少なくとも多重コイル部を固定するのに効果的である、放電ランプ用のメタル・コイル・アンテナ。
【請求項１６】
放電容器および／または前記放電容器の第1の端部で電極貫通接続手段の周囲に巻き付けられている複数のコイル状部と、
前記放電容器および／または前記放電容器の第2の端部で前記電極貫通接続手段に取り付けられている延在端子部とを備え、
当該端子部は、コイル状部の長さに沿って延在するのに適していて、かつ、前記放電容器または前記放電容器の第1の位置で前記電極貫通接続手段に取り付けられていて、当該延在端子部は、放電容器の組立時に、高温条件にさらす状態で前記第1の位置から実質的にゆるまない前記メタル・コイルの少なくとも多重コイル部を固定するのに効果的である、放電ランプ用のメタル・コイル・アンテナ。
【請求項１７】
メタル・ハライド備えるイオン化可能な材料と、第1および第2の放電極貫通接続手段と、当該第1および第2の放電極貫通接続手段に接続されている第1および第2の電流伝導体とを、それぞれ含む放電スペースと、
前記放電容器および／または第1の位置のおよびいずれかのメタル・コイルの電極貫通接続手段の少なくとも一部の周囲に巻き付けられたコイル部を有するメタル・コイルとを備える、放電容器を備え、
前記コイル部の少なくとも実質的にすべての前記コイル部は、高温条件にさらす状態で前記第1の位置から実質的にゆるまずに固定される、放電ランプ用のメタル・コイル・アンテナ。
【請求項１８】
当該メタル・コイルは、放電容器の断裂の場合、点弧支持と閉込めとの双方として機能する、請求項15に記載の放電ランプ用のメタル・コイル・アンテナ。
【請求項１９】
放電容器および／または前記放電容器の第1の端部で電極貫通接続手段の周囲に巻き付けられている複数のコイル状部と、
前記放電容器および／または前記放電容器の第2の端部で前記電極貫通接続手段に取り付けられている延在端子部とを備え、
当該端子部は、コイル状部の長さに沿って延在していて、かつ、前記放電容器および／または前記放電容器の第1の位置で前記電極貫通接続手段に取り付けられていて、当該延在端子部は、放電容器の組立時に、高温条件にさらす状態で前記第1の位置から実質的にゆるまない前記メタル・コイルのコイル部の少なくとも実質的に全てを固定するのに効果的である、前記メタル・コイルを備える、請求項18に記載の放電ランプ用のメタル・コイル・アンテナ。
【請求項２０】
当該放電容器および／または前記放電容器の第1の端部で電極貫通接続手段の周囲に巻き付けられている複数のコイル状部と、
前記放電容器および／または前記放電容器の第2の端部で前記電極貫通接続手段に取り付けられている延在端子部とを備え、
当該端子部は、コイル状部間の相互接続を形成するコイル状部の長さに沿って延在していて、かつ、前記放電容器および／または前記放電容器の第1の端部で前記電極貫通接続手段に取り付けられていて、
当該延在端子部は、高温条件にさらす状態で前記第1の位置から実質的にゆるまない前記メタル・コイルのコイル部の少なくとも実質的に全てを固定するのに効果的である、前記メタル・コイルを備える、請求項18に記載の放電ランプ用のメタル・コイル・アンテナ。
【発明の詳細な説明】
【技術分野】
【０００１】
本出願は、その開示が参照により本願明細書に引用したものとする、2001年5月8日に出願された米国特許出願「コイル・アンテナおよびセラミック・メタル・ハライド・ランプの保護」（特許文献１）の一部継続出願である。
【０００２】
本発明は、リード貫通素子を用いて電流導体に接続されている電極を収めている放電スペースで囲まれていて、かつ、セラミック壁を含む放電容器を備える、高圧放電ランプに関する。本発明は、また、放電容器光源と、ガラス・ステムと、ガラス・ステムに埋められる一対のリード線と、光源を囲むガラス製容器と、ステムに対して固定されている第1の端部を備えるワイヤ・フレーム部材と、ランプの軸に平行に延在する軸部と、ガラス製容器の固定端に弾性的に固定されている第2の端部とを有する高輝度放電（HID）ランプに関する。
【背景技術】
【０００３】
高輝度放電（HID）ランプは、これらの高いエネルギー効率および素晴らしく長い耐用期間のために、広い範囲の照明用途で一般的に用いられている。既存のHID製品の範囲には、水銀蒸気（MV）、高圧ナトリウム（HPS）およびクォーツ・メタル・ハライド（MH）ランプが含まれる。近年、39Wから400Wのセラミック・ハライド・メタル・ランプ（たとえば、フィリップス・マスターカラー（MasterColor （登録商標）・シリーズ）が、市場に出始めた。これらのセラミック・ハライド・メタル・ランプは、従来のHIDランプと比較して、優れた初期色濃度と、耐用期間にわたる驚異的な安定度（10,000時間で、ルーメン・メンテナンスが80%を超え、色温度のシフトが200K未満）と、90ルーメンス／ワット未満の高視感度と、約20,000時間の寿命とを示す。これらのたいへん望ましい特性は、自然光に近い連続スペクトル光を放射する、多結晶アルミナ（PCA）封入体の高安定度および特別な塩混合物に起因する。当該ランプにおいて使用される塩組成物を調整することによって、3800〜4500Kの色温度および85を超える演色評価数（CRI）を、達成することができる。
【０００４】
マスター・カラー・ランプの1つの現在の設計は、電極を固定するための延在プラグを備える円筒状PCA放電管を利用する。PCA本体のPCA放電チューブの大体のアスペクト比、すなわち、長さ／直径は、低ワット数（39W〜100W）の場合には、1から3まで変化し、高ワット数（150W〜1000W）の場合には、3〜10まで変化する。400Wおよび1000Wのランプの最高級品の場合、ランプ電流は、定常状態運転で約4.5A（ANSI標準）であり、かつ、予熱の間は約7〜8Aである。高ワット数のマスター・カラー・ランプのマウント構造は、ガス充填材または真空を備える標準ガラス・バルブと、ステムと、コネクタと、ゲッターと、電流キャリー・フレーム・ワイヤと、UVエンハンサまたはアンテナなどの点弧支持とを含む。アンテナの設計の1つは、円筒部に沿って延在していて、かつ、アークチューブの周囲および延在プラグの周囲に巻き付けられている伝導のコイルである。アンテナ・コイルは、充填材ガスがコイルとプラグの隣接リードインとの間の容量結合によってイオン化する降伏電圧を低下させる。交流電圧が電極全体に印加されるときに、アンテナは、PCAのUV放射を活性化する。これにより、結局、電極によって一次電子が放出される。これらの一次電子の存在は、充填材ガスの放電の点弧を促進する。
【０００５】
当該ランプが定常状態動作にあるときには、放電容器内部のガス圧力は2から20気圧まで変動する。したがって、ランプの動作中に放電容器が破裂した場合、フラグメントが通電し、かつ、外側のガラス・バルブを透過し、周辺に危険を与える可能性がある。したがって、当該ランプは、閉込めテストを受ける必要がある。「閉込め」とは、アークチューブの断裂によって生じる外側のバルブの損傷を防止することを、意味する。クォーツ・ハライド・メタル・ランプの閉込めテストに対する測定のためのANSIテスト・プロトコル方法は、メタル・ハライド・ランプの測定方法に対するアメリカ国家規格の付属書（ANSI C78.387-1995）として発行されている。当該ランプにおけるMoコイル・アンテナは、閉込め保護と点弧の二重の機能を果たす。
【０００６】
低ワット・セラミック・アークチューブと低／高ワット・クォーツ・アークチューブとの双方を備える、保護されたパルス起動ハライド・メタル・ランプは、クォーツ・スリーブと、しばしば、アークチューブが断裂した場合でも外側のバルブ内に小片を含むスリーブの周囲を覆うMoコイルとを用いる。これらのランプは、点弧プロセスを助けるための補助アンテナを必要としない。
【０００７】
HPSまたはナトリウム・ハライド・ランプのような他のランプは、起動を助け、かつ、動作中のアークチューブによるナトリウム・ミグレーションを抑止するために、高融点メタルスパイラルを用いる。このような用途の代表例は、以下の通りである。すなわち、
閉込めのみに用いられ、かつ、点弧に用いられないメタル・コイルを開示する特許文献２。加えて、このコイルは、アークチューブを囲むスリーブの周囲を覆っているが、アークチューブ自体の周囲は覆っていない。
【０００８】
HPSランプの点弧のみに用いられ、かつ、閉込めに用いられないコイルを開示する特許文献３。加えて、このコイルは、Xフレーム・ワイヤに電気接続されていて、容量結合されていない。
【０００９】
点弧およびナトリウム・ミグレーションの阻止のために用いられるが、閉込めのためには用いられていないコイルを開示する特許文献４。加えて、コイルは、フレーム・ワイヤに電気接続されていて、容量結合されていない。
【００１０】
特許文献５は、メタルスクリーンを開示するが、コイルについては開示していない。そして、そのスクリーンは、閉込めのみに用いられ、点弧のためには用いられていない。
【００１１】
特許文献６は、低い動作電圧を可能とする円筒状の網状格子起動支持を備える高圧ナトリウムランプを開示する。
【００１２】
約150Wから約1000Wの電力範囲のセラミック・メタル・ハライド・タイプのHIDランプの技術には、点弧と閉込めとの双方に対するメタル・コイルを用いるランプに対するニーズがある。
【００１３】
本出願と共に継続中の前記特許出願No. 09/851,443（特許文献１）では、点弧と閉込めとの双方に対して、ランプのアークチューブの周囲に巻き付けられたメタル・コイルを用いる、約150Wから約1000Wの電力範囲のセラミック・メタル・ハライド・タイプのHIDランプが、提供される。150W〜400Wのランプのタイプの場合の公称電圧範囲は、100V〜135Vであり、また、1000Wのランプのタイプの場合の公称電圧範囲は、250〜263Vである。このような構造は、認識されていなかった、または、以前に達成されていた従来技術に比較して、はるかに多くの利点を提供する。
【００１４】
本発明は、当該ランプのなお更なる改良を提供する。たとえば、ランプの耐用期間にわたって、コイル状アンテナは、コンスタントに、1200度を超える温度環境にさらされる。このことは、起動の助け、および、閉込めの助けとしての、コイル状アンテナの効果を減少させる傾向をもたらすであろう。高温環境にさらされている間、このようなコイル状アンテナの効果を維持することが保証される必要がある。
【００１５】
本発明の目的は、点弧と閉込めの双方に対してランプのアークチューブの周囲に巻かれたメタル・コイルを用いる、約150Wから約1000Wの電力範囲のセラミック・メタル・ハライド・タイプのHIDランプであって、長期間にわたって高温環境にさらされた後でも、起動の助けおよび閉込めの助けとしての、コイル状アンテナの効果が、維持されるHIDランプを提供することである。
【００１６】
本発明の他の目的は、優れた初期色濃度と、耐用期間を通じての驚異的な安定度（80%を超えるルーメン・メンテナンス）と、10,000時間で200K未満の色温度シフトと、90ルーメンス／ワットを超える高視感度と、点弧と閉込めとの双方に対してランプのアークチューブの周囲に巻き付けられた改良されたメタル・コイルを用いる約150Wから約1000Wの電力範囲とを表す、フィリップス・マスターカラー・シリーズのセラミック・メタル・ハライド・ランプを提供することである。
【００１７】
【特許文献１】2001年5月8日出願された米国出願No. 09/851443号（整理番号US010246）
【特許文献２】欧州特許第0549056号公報
【特許文献３】米国特許4,179,640号
【特許文献４】米国特許4,491,766号
【特許文献５】米国特許4,950,938号
【特許文献６】独国特許2639276号
【発明の開示】
【課題を解決するための手段】
【００１８】
本発明のこれらの、および他の目的は、高圧ナトリウムまたはクォーツ・メタル・ハライド・ランプ（パルス起動またはスイッチ起動）のために設計されるバラストのANSI標準シリーズに連結されるであろう、点弧と閉込めとの双方に対してアークチューブの周囲に巻き付けられたメタル・コイルを備えるガス放電ランプが、提供される、本発明の第1の実施例によって、達成される。
【００１９】
本発明のランプは、150Wから約1000Wの電力範囲のフィリップス・マスターカラー・シリーズのランプの延長であり、これらは、同じ電力HPSまたはMHレトロフィットに適している。したがって、それらは大抵の既存のバラストおよびフィクスチャーシステムで用いることができる。
【００２０】
その好ましい実施例では、本発明は、点弧と閉込めとの双方のために用いられるメタル・コイルの少なくとも一つのコイル部のコイル位置が、ランプの動作中に存在する高温条件にさらされた後に、前記第1の位置から実質的にゆるまずに固定される、第1の位置でアークチューブ周囲に取り付けられるメタル・コイルを含む、電力範囲が約150Wから約1000Wのセラミック・ハライド・ランプを提供する。このようなランプは、高圧ナトリウムおよび／またはクォーツ・メタル・ハライド・ランプを改良する応用に適している。
【００２１】
好ましい実施例では、上記の通りの電源ランプは、約3800から約4500KのCCT（相関色温度）と、約70から約95のCRI（演色評価数）、約+10のMPCD（平均認知可能色差）と、約85〜95 ルーメンス／ワットまでの視感度という特性の一つ以上、最も好ましくは、全てを有する。
【００２２】
他の好ましい例では、定格電力に関係なく、80%を超えるルーメン・メンテナンスと、100から8000までの200K未満の色温度シフトと、約10,000から約25,000時間の有効期間とを有することが判明している、上述したメタル・コイル・アンテナを有するセラミック・ハライド・メタル・ランプが、提供される。
【００２３】
優れた初期色濃度と、耐用期間を通じて驚異的な安定度（ルーメン・メンテナンスが80%を超え、10,000時間での色温度シフトが200K未満）と、90ルーメンス／ワットを超える高視感度と、約20,000時間の有効期間と、150Wから約1000Wの電力範囲とを表す、セラミック・メタル・ハライド・ランプは、特に好ましい。
【００２４】
本発明の好ましい実施例では、第1の位置でアークチューブの周囲に巻き付けられていて、かつ、アークチューブの第1の端部に取り付けられているコイル状部と、
アークチューブの第2の端部に取り付けられている延在（好ましくは、直線上の）終端部とを有し、
当該直線上の終端部は、コイル状部の長さに沿って延在していて、かつ、アークチューブの第1の端部に取り付けられていて、高温条件にさらす状態で第1の位置から実質的にゆるまないメタル・コイルの少なくとも一つのコイル部、好ましくはすべてのコイルに固定するのに効果的である、メタル・コイル・アンテナが、提供される。
【００２５】
本発明の他の実施例では、第1の位置でアークチューブの周囲に巻き付けられていて、かつ、アークチューブの第1の端部に取り付けられているコイル状部と、
アークチューブの第2の端部に取り付けられている延在（好ましくは直線上の）終端部とを有し、
当該直線上の終端部は、アークチューブの第1の端部に取り付けられていて、巻き付けられたコイル状部のコイル間で相互接続を形成しているコイル状部の長さに沿って延在していて、かつ、高温条件にさらす状態で第1の位置から実質的にゆるまないメタル・コイルの少なくとも一つのコイル部、好ましくはすべてのコイルに固定するのに効果的である、メタル・コイル・アンテナが、提供される。
【発明を実施するための最良の形態】
【００２６】
本発明のランプの上記の態様および更なる態様は、図面を参照して以下に詳述されるであろう。
【００２７】
図1から図3を参照すると、セラミック・メタル・ハライド放電ランプ1は、ガラス外側封入体10と、そこに組み込まれている一対の伝導フレーム・ワイヤ12、13を有するガラス・ステム11と、メタルベース14と、メタルベース14から断熱されている中心接触16とを備える。フレーム・ワイヤ12、13は、それぞれ、メタルベース14および中心接触16に接続されていて、アークチューブ20を支持するだけではなく、フレーム・ワイヤ部材17を介して電極組立体30、40に電流を供給する。ゲッター18は、フレーム・ワイヤ部材17およびフレーム・ワイヤ13に固定されている。ニオビウム・コネクタ19は、電気的接続をアークチューブ電極貫通接続30および40に提供する。この他に、フレーム・ワイヤ部材17は、ガラス外側封入体10の上部軸端に形成されているくぼみ8に接触する遠方端部9を備えている。この構造の更なる詳細は、前記同時係属出願（出願番号09/851443号：特許文献１）の図9および図10に従う。その中で説明されているように、電極30、40は、各々、PCAアークチューブに電極組立部を密封するフリット33、43によって封止されているニオビウムのリードイン32、42と、モリブデン／アルミニウム・サーメットの中心部34、44と、モリブデン・ロッド部35、45と、タングステンの巻線37、47を有するタングステン・チップ36、46とを有する。円筒部22および端壁24、25は、イオン化可能な不活性ガス、メタル・ハライドおよび水銀の充填材を含んでいる放電スペース21を囲む。
【００２８】
本願明細書において用いられるように、「セラミック」とは、単結晶メタル酸化物（たとえば、サファイア）、多結晶メタル酸化物（たとえば、多結晶高密度酸化アルミニウムおよびイットリウム酸化物）、および、多結晶非酸化メタル（たとえば、アルミニウム窒素化合物）などの耐火物を意味する。このような材料は、1500〜1600Kの壁温度を可能にし、かつハライドおよびナトリウムによる化学攻撃に耐える。本発明の目的を達成するために、多結晶酸化アルミニウム（PCA）が、最も適切であることが判明している。
【００２９】
図1から図3は、円筒部22の長さに沿って延在していて、かつ、アークチューブ20の周囲および延在プラグ26、27の周囲に巻き付けられている、巻線またはコイル部51を有する伝導アンテナ・コイル50を有するセラミック・メタル・ハライド・アークチューブ20も示している。アンテナ・コイル50は、高い電圧パルスが電極全体に印加されるときに、充填材ガスが電極間で容量結合することによってイオン化する降伏電圧を低下させる。それによって、電界が、末端プラグのPCAにおいて誘導される。これは、結局、PCAのUV放射を活性化し、結局、電極によって放射される一次電子を引き起こす。これらの一次電子の存在は、充填材ガスの放電の点弧を促進する。
【００３０】
このようなランプは、我々の同時係属出願（出願番号09/851443号：特許文献１）の出願対象を形成して、多くの独特で望ましい特性を提供する。このようなランプでは、コイル状アンテナ50は、所定のピッチでアークチューブ20の円筒部22の周囲に存在するコイル状の一本のモリブデン・ワイヤであり、かつ、延在プラグ26、27の周囲に巻き付けられていて、アークチューブ20の各々の端部で終わっていることが好ましい。このワイヤは、ランプの電流キャリー素子に対する電気的接続がなされないように、取り付けられている。コイル状ワイヤの目的は、起動支持として役立ち、かつ、アークチューブ20が破裂する場合であっても、バルブ断裂の可能性を排除するためにアークチューブを閉込めることである。ランプの耐用期間にわたって、コイル状アンテナ50は、コンスタントに、たとえば、1000度の高温環境にさらされる。これらの条件下では、コイル形状が、時間と共に、ある程度ゆるくなるかもしれないという可能性がある。コイルがこれらの条件の下でゆるむにつれて、巻線間の間隔D1（すなわち、コイル状部51）は、増加し、かつ、コイル状アンテナ50の端部と電流をキャリーする電極組立部30、40との間の間隔D2も、増加する（図2および図3を参照）。
【００３１】
図4および図5は、図1で説明されているランプに使用するのに適切であって、アンテナ・コイルのゆるみに関する問題を排除する、または実質的に減少させる、のいずれかの改良型のメタル・コイル・アンテナ50Aおよび50Bの説明図である。本発明によれば、メタル・コイル50Aまたは50Bは、アークチューブ20に巻き付けられ、および／または、第1の位置xとメタル・コイル50Aまたは50Bのいずれかとにおいてプラグが延長され、点弧および閉込めの双方として用いられるメタル・コイルの少なくとも一つのコイル部51のコイル位置xは、ランプの動作中に存在する高温条件にさらした後に、その第1の位置xから実質的にゆるむことなく固定される。図4において説明される実施例では、
第1の位置xでアークチューブ20の周囲に巻き付けられていて、かつ、第1の端部および／またはアークチューブの延在プラグ26に取り付けられているコイル状部51と、
第2の端部および／またはアークチューブ20の延在プラグ27に取り付けられている延在（好ましくは、直線上の）終端部60とを有し、
直線上の終端部60は、コイル50の長さに沿って延在していて、かつ、第1の端部および／またはアークチューブ20の延在プラグ26に取り付けられていて、かつ、高温条件にさらす状態で第1の位置xから実質的にゆるまないメタル・コイルの少なくとも一つのコイル部51（好ましくは、すべてのコイル50A）に固定するのに効果的である、メタル・コイル・アンテナ50Aが提供される。
【００３２】
図5において説明される実施例では、第1の位置xでアークチューブ20の周囲に巻き付けられていて、かつ、第1の端部および／またはアークチューブの延在プラグ26に取り付けられているコイル状部51と、
第2の端部および／またはアークチューブ20の延在プラグ27に取り付けられている延在（好ましくは、直線上の）終端部60とを有し、
直線上の終端部60は、第1の端部および／またはアークチューブ20の延在プラグ26に取り付けられていて、かつ、メタル・コイルのコイル部51間の相互接続63を形成するコイル50Bの長さに沿って延在していて、高温条件にさらす状態で第1の位置xから実質的にゆるまない少なくとも一つ（好ましくは、複数の）コイル部51（最も好ましくは、すべてのコイル50Bのコイル部のすべて）に固定するのに効果的である、メタル・コイル・アンテナ50Bが提供される。
【００３３】
コイルのために使用されるモリブデンは、カリウムがドープされ、かつ、高晶出温度（high crystallization temperature：HCT）が指定されることが好ましい。この材料は、1300度の真空焼成に耐えなければならないし、さらに、その後に、ASTM延性試験に提出されるときに、亀裂、裂け、層間剥離、または、破片を示してはならない。
【００３４】
したがって、要約すると、放電スペースを囲うセラミック放電容器を備え、かつ、好ましくは、円筒形状のセラミック、好ましくは、電極を有する焼結された半透明の多結晶アルミナ・アークチューブ、好ましくは、気密なシールによっていずれの側にも取り付けられている、タングステン−モリブデン−サーメット−ニオビウム電極を備える、高いワット数の放電ランプが提供される。メタル水銀、好ましくは、希ガスと放射性クリプトン85との混成物、および、好ましくは、沃化ナトリウム、沃化カルシウム、沃化タリウムおよびいくつかの沃化希土酸化物で構成されている塩混合が、アークチューブ20に含まれていることが好ましい。アークチューブは、第1の位置xおよびメタル・コイル50Aまたは50Bのいずれかでアークチューブ20の周囲に巻き付けられている、モリブデン・コイル50Aまたは50Bによる破裂から保護されていて、少なくとも一つのコイル部51のコイル位置xは、アンプの動作中に存在する高温条件にさらされた後に、第1の位置xから実質的にゆるむことなく固定されている。全てのアークチューブおよびその保持装置は、標準サイズのリードが自由な硬質ガラス・バルブ内に、ゲッター（図1の18）または必要に応じて取り付けられる紫外線エンハンサ（図示せず）などの他の素子と共に、封入されている。コイル・アンテナは、起動または点弧のためのアンテナとして役立ち、優れた容量結合を点弧に提供し、ランプの有効性または寿命特性上の悪影響を有していなくて、更にアークチューブ断裂の場合には小片の機械的閉込めを提供する。
【００３５】
製品群は、屋内と屋外との双方での照明用途の広範囲にわたって使用できるであろう。主たる屋内の用途は、高演色評価数、高鮮明度および低いランプ・トゥ・ランプ色変化を必要としている、コンスタントに占有された広い領域の倉庫または小売ビルディングを含む。屋外の用途は、市街路照明、建築物および構造物イルミネーションおよびハイウェイ照明を含む。
【００３６】
本発明は、趣旨および範囲またはそれの基本的特性から逸脱することなく、他のいろいろな形で実施されることができ、現在の開示された実施例は、それの好ましい実施例にすぎない、と理解されるであろう。
【図面の簡単な説明】
【００３７】
【図１】使用状態にあり、かつ、同時係属出願（出願No. 09/851443号：特許文献1）の出願対象を形成する、コイル状アンテナを備えるランプの概略図である。
【図２】それぞれ、組み立てられていない形のゆるいコイル状アンテナと、組み立てられた形のゆるいコイル状アンテナの説明図である。
【図３】延長された期間にわたって高熱環境にさらした後のゆるいアンテナの説明図である。
【図４】それぞれ、組み立てられていない形の本発明のゆるまないコイル状アンテナと、組み立てられた形の本発明のゆるまないコイル状アンテナの実施例の説明図である。
【図５】それぞれ、本発明の組み立てられていない形のゆるまないコイル状アンテナと、本発明の組み立てられた形のゆるまないコイル状アンテナの他の実施例の説明図である。
【符号の説明】
【００３８】
1  セラミック・メタル・ハライド放電ランプ
8  くぼみ
9  遠方端部
10  ガラス外側封入体
11  ガラス・ステム
12、13  伝導フレーム・ワイヤ
14  メタルベース
16  中心接触
17  フレーム・ワイヤ部材
18  ゲッター
19  ニオビウム・コネクタ
20  アークチューブ
21  放電スペース
22  円筒部
24、25  端壁
26、27  延在プラグ
30、40  電極組立体
50  伝導アンテナ・コイル
50A、50B  メタル・コイル・アンテナ
51  コイル部
60  終端部
63  相互接続
【図１】
2005531116.tif 000003
【図２】
2005531116.tif 000004
【図３】
2005531116.tif 000005
【図４】
2005531116.tif 000006
【図５】
2005531116.tif 000007
【国際調査報告】
2005531116.tif 000008
2005531116.tif 000009
2005531116.tif 000010